(57)【特許請求の範囲】
【請求項１】
内容物通路およびこれの下流側に続く収容空間部を持つ内容物噴射操作対象のボタン本体部と、前記収容空間部に取り付けられて前記内容物通路と連通する内容物噴射用のノズルと、を備えた内容物噴射操作用ボタンにおいて、
前記内容物通路は、
前記収容空間部への流出部分に上流側中間オリフィスを有し、
前記ノズルは、
前記上流側中間オリフィスからの流入部分としての下流側中間オリフィスと、
前記上流側中間オリフィスからの内容物流入空間域としての鞘状部とを有し、
前記下流側中間オリフィスは、
前記鞘状部の後端開口側に、前記収容空間部の後内面部分との間の切欠状孔部の態様で形成されている、
ことを特徴とする内容物噴射操作用ボタン。
【請求項２】
前記ノズルは、
それぞれ前端側がノズル長手方向中心線に近づく内方への広がり傾斜態様で設定された、複数の噴射用開口部を有している、
ことを特徴とする請求項１記載の内容物噴射操作用ボタン。
【請求項３】
請求項１または２記載の内容物噴射操作用ボタンを備え、かつ、前記容器本体に噴射用ガスおよび内容物を収容した、
ことを特徴とするエアゾール式製品。
【発明の詳細な説明】
【技術分野】
【０００１】
本発明は、内容物通路およびこれの下流側に続く収容空間部を持つ内容物噴射操作対象のボタン本体部と、前記収容空間部に取り付けられて前記内容物通路と連通する内容物噴射用のノズルと、を備えた内容物噴射操作用ボタンに関する。
【０００２】
特に、ボタン本体部およびノズルそれぞれの内容物通路に個々の中間オリフィス（噴射孔以外の部分で、内容物通過用断面積がその直上流および直下流の何れの部分よりも小さく設定された孔部，切欠状部など）を形成した内容物噴射操作用ボタンに関する。
【０００３】
さらには、ノズル流出側開口部を図示のような前側内方傾斜態様のテーパ面形状に形成して、内容物を外部空間域の対象部分へ集中噴射させるようにした内容物噴射操作用ボタンに関する。
【０００４】
このようにボタン本体部およびその流出側に取り付けられるノズルそれぞれの内容物通路に個々の中間オリフィスを形成し、これにより内容物は、通路部の広範囲にわたり膨張，圧縮を繰り返してソフト感のあるナチュラルな噴霧状態や冷間防止態様で噴射される。
【０００５】
また、ボタン本体部を通過した内容物は、ノズル流出側開口部から外部空間域や患部などの噴射対象部分に集中して、拡散を防止し効率的に噴射される。
【０００６】
本明細書では、ボタン本体部に取り付けられたノズルの長手方向を前後方向とし、その内容物流出側を「前」，それとは反対の内容物流入側を「後」と記す。すなわち、図１および図３の左側が「前」で、右側が「後」となる。
【背景技術】
【０００７】
従来、内容物噴射操作に用いるボタン本体部とそこに取り付けられるノズルからなり、このボタン本体部の内容物通路に中間オリフィスを形成した内容物噴射操作用ボタンは、すでに提案されている（特許文献１参照）。
【先行技術文献】
【特許文献】
【０００８】
【特許文献１】特開平１０−２３６５５０号公報
【発明の概要】
【発明が解決しようとする課題】
【０００９】
この内容物噴射操作用ボタンの中間オリフィスは、ボタン本体部における内容物通路の流出側に形成されているのみである。
【００１０】
そのため、噴射対象内容物が、内容物噴射操作用ボタン（ボタン本体部＋ノズル）の内容物通路の広範囲にわたって膨張，圧縮を繰り返す状態に設定する、ことなどが難しいという問題点があった。
【００１１】
本発明では、ボタン本体部に取り付けられるノズルにも中間オリフィスを形成し、これにより外部空間域への噴射内容物のソフトな噴霧化や、患部などの噴射対象部の冷間防止化を図ることを目的とする。
【００１２】
また、ノズル側の中間オリフィスを、ノズルと、ボタン本体部のノズル収容空間部後内面との間の孔部形状に設定し、すなわちノズルには、孔部の一部となる切欠状部分のみを形成して、これによりノズル側中間オリフィス設定の簡単化を図ることを目的とする。
【００１３】
また、ノズルの複数の噴射用開口部（噴射孔）を、それぞれ前端側がノズル長手方向中心線に近づく内方への広がり傾斜態様で設定し、これにより外部空間域や患部などの噴射対象部分へ集中噴射をして拡散防止化，付着率アップ化を図ることを目的とする。
【課題を解決するための手段】
【００１４】
本発明は、以上の課題を次のようにして解決する。
（１）内容物通路（例えば後述の内容物通路１ａ）およびこれの下流側に続く収容空間部（例えば後述の収容空間部１ｃ）を持つ内容物噴射操作対象のボタン本体部（例えば後述のボタン本体部１）と、前記収容空間部に取り付けられて前記内容物通路と連通する内容物噴射用のノズル（例えば後述の一重ノズル２，二重ノズル３）と、を備えた内容物噴射操作用ボタンにおいて、
前記内容物通路は、
前記収容空間部への流出部分に上流側中間オリフィス（例えば後述の上流側中間オリフィス１ｂ）を有し、
前記ノズルは、
前記上流側中間オリフィスからの流入部分としての下流側中間オリフィス（例えば後述の下流側中間オリフィス２ｂ，３ｄ）と、
前記上流側中間オリフィスからの内容物流入空間域としての鞘状部（例えば後述の鞘状部２ａ，内鞘状部３ａ）とを有し、
前記下流側中間オリフィスは、
前記鞘状部の後端開口側に、前記収容空間部の後内面部分との間の切欠状孔部の態様で形成されている、
構成態様のものを用いる。
（２）上記（１）において、
前記ノズルは、
それぞれ前端側がノズル長手方向中心線に近づく内方への広がり傾斜態様で設定された、複数の噴射用開口部（例えば後述の前端側開口部２ｄ，３ｆ）を有する、
構成態様のものを用いる。
【００１５】
このような構成からなる内容物噴射操作用ボタンおよびこの内容物噴射操作用ボタンを備えたエアゾール式製品を発明の対象としている。
【発明の効果】
【００１６】
本発明は、以上の構成をとることにより、
(11)外部空間域への噴射内容物のソフトな噴霧化や、患部などの噴射対象部の冷間防止化を図り、
(12)ノズル側中間オリフィス設定の簡単化を図り、
(13)外部空間域や患部などの噴射対象部分へ集中噴射される内容物の拡散防止化，付着率アップ化を図る、
ことができる。
【図面の簡単な説明】
【００１７】
【図１】一重ノズルをボタン本体部に取り付けた状態の断面を示す説明図である。
【図２】図１の正面視を示す説明図である。
【図３】二重ノズルをボタン本体部に取り付けた状態の断面を示す説明図である。
【図４】図３の正面視を示す説明図である。
【発明を実施するための形態】
【００１８】
図１〜図４を用いて本発明の実施形態を説明する。
【００１９】
本明細書で用いるアルファベット付き参照番号の構成要素（例えば内容物通路１ａ）は原則として、この参照番号の数字部分の構成要素（例えばボタン本体部１）の一部であることを示している。
【００２０】
図１〜図４において、
１は容器本体内容物の噴射操作ボタンを構成するボタン本体部，
１ａはボタン本体部１に形成されて周知の弁作用を呈するステム（図示省略）の通路域と連通する内容物通路，
１ｂは内容物通路１ａの流出部分に形成された小径孔部からなる上流側中間オリフィス，
１ｃは上流側中間オリフィス１ｂの直下流側に形成されて、後述の一重ノズル２または二重ノズル３が取り付けられる前開口の収容空間部，
１ｄは収容空間部１ｃの後端側の縦底面，
１ｅは噴射操作時の押下げ対象となる天面，
をそれぞれ示している。
【００２１】
図１および図２において、
２は単一鞘状部からなり、その外周面と収容空間部１ｃの内周面との間の前後方向通路を内容物が流れる一重ノズル，
２ａは収容空間部１ｃに取り付けられた後開口の鞘状部，
２ｂは鞘状部２ａの後端面部分にその周方向１８０度の間隔で形成されたそれぞれ切欠状の計二個の下流側中間オリフィス（切欠状部分），
２ｃは鞘状部２ａの外周面前後方向に、下流側中間オリフィス２ｂといわば同一周方向位相となる９０度間隔で形成された計四個の横溝状部，
２ｄは横溝状部２ｃそれぞれの前端部分に形成された噴射用開口部，噴射孔としての計四個の前端側開口部，
２ｅは前端側開口部２ｄを構成する鞘状部２ａの外周面であって、それぞれ図示のように前側内方傾斜の態様で形成された集中噴射用の計四個の前端テーパ面，
をそれぞれ示している。
【００２２】
また、
ｓ１は鞘状部２ａの凹状部分からなるバッファ空間域，
ｓ２は一重ノズル２をボタン本体部１へ取り付けることにより、鞘状部２ａの後側外周面と収容空間部１ｃの後側内周面との間に設定される内容物通過用の環状通路域，
をそれぞれ示している。
【００２３】
図３および図４において、
３は内外の各周回要素（後述の内鞘状部３ａおよび外筒状部３ｂ）からなり周回要素それぞれの前端部分で連続一体化している二重ノズル，
３ａは二重ノズル３の内側周回要素としての後開口の内鞘状部，
３ｂは収容空間部１ｃへ直接取付けられる部分であって、内鞘状部３ａの外周面回りに互いの前端部分が連続する態様で設定された外側周回要素としての外筒状部，
３ｃは内鞘状部３ａの外周面と外筒状部３ｂの内周面との間の前後方向に設定された内容物通過用の環状通路部，
３ｄは内鞘状部３ａの後端面部分にその周方向１８０度の間隔で形成されたそれぞれ切欠状の計二個の下流側中間オリフィス（切欠状部分），
３ｅは外筒状部３ｂの後端部分であって、下流側中間オリフィス３ｄよりも前方位置に形成された環状後端面，
３ｆは環状通路部３ｃのいわば前端部分に相当する二重ノズル３の前端環状連続部分に、その周方向９０度の間隔で、それぞれが環状通路部３ｃと連通する態様にて形成された噴射用開口部，噴射孔としての計四個の前端側開口部，
３ｇは前端側開口部３ｆを構成する内鞘状部３ａの外周面であって、それぞれ図示のように前側内方傾斜の態様で形成された集中噴射用の計四個の前端テーパ面，
をそれぞれ示している。
【００２４】
また、
ｓ11は内鞘状部３ａの凹状部分からなるバッファ空間域，
ｓ12は二重ノズル３をボタン本体部１へ取り付けることにより、内鞘状部３ａの後端側外周面と収容空間部１ｃの後端側内周面との間に設定される内容物通過用の環状通路域，
をそれぞれ示している。
【００２５】
ここで、一重ノズル２の下流側中間オリフィス２ｂは、鞘状部２ａの後端面側の切欠状開口部分に対する収容空間部１ｃの縦底面１ｄのいわば塞ぎ作用により、切欠状孔部の態様で設定されている。
【００２６】
二重ノズル３の下流側中間オリフィス３ｄも同様に、内鞘状部３ａの後端面側の切欠状開口部分に対する収容空間部１ｃの縦底面１ｄの塞ぎ作用により、切欠状孔部の態様で設定されている。
【００２７】
ボタン本体部１，一重ノズル２および二重ノズル３はプラスチック製のもので、例えばポリプロピレン，ポリエチレン，ポリアセタール，ナイロン，ポリブチレンテレフタレートなどからなる。
【００２８】
図示の内容物噴射操作用ボタン（ボタン本体部１＋一重ノズル２，二重ノズル３）の基本的特徴は、
(21)ボタン本体部１の内容物通路１ａの流出部分に上流側中間オリフィス１ｂを形成し、かつ、一重ノズル２の鞘状部２ａおよび二重ノズル３の内鞘状部３ａそれぞれの後端面部分に下流側中間オリフィス２ｂ，３ｄを形成し
(22)一重ノズル２および二重ノズル３の前端側開口部２ｄ，３ｆに集中噴射用の前端テーパ面２ｅ，３ｇを形成した、
ことなどである。
【００２９】
すなわち、ボタン本体部１の上流側中間オリフィス１ｂだけではなく、このボタン本体部に取り付けられる一重ノズル２および二重ノズル３にも下流側中間オリフィス２ｂ，３ｄを設けている。
【００３０】
なお、図示していないが鞘状部２ａおよび内鞘状部３ａそれぞれの後端以外の周面部分に下流側中間オリフィスとしての孔部を設けてもよい。
【００３１】
この下流側中間オリフィス２ｂ，３ｄと、ボタン本体部１の既設の上流側中間オリフィス１ｂとのいわばオリフィス直列二重化により、内容物噴射操作用ボタンを通過する噴射対象内容物の確実、効率的な膨張・圧縮作用が生じる。
【００３２】
さらには、前端側開口部２ｄ，３ｆに前端テーパ面２ｅ，３ｇが形成されているので、この開口部から外部空間域へと流出する内容物は、一重ノズル２および二重ノズル３それぞれの前端面中央部分の略中心を通る前後方向の線上に集中噴射される。
【００３３】
図１および図２の一重ノズル２を用いた内容物噴射操作用ボタンの場合、鞘状部２ａの横溝状部２ｃに流入した内容物は収容空間部１ｃの内周面部分に当たりながら前端側開口部２ｄへと移動する。
【００３４】
図３および図４の二重ノズル３を用いた内容物噴射操作用ボタンの場合、内鞘状部３ａと外筒状部３ｂとの間の前後方向の環状通路部３ｃに流入した内容物は、図１，図２の場合とは違って、収容空間部１ｃの内周面部分に当たることなく前端側開口部３ｆへと移動する。
【００３５】
図３および図４の内容物噴射操作用ボタンの場合、二重ノズル３の前端部分が収容空間部１ｃのそれと略面一状態に設定されていることもあいまって、収容空間部１ｃからの液ダレなどは生じない。
【００３６】
図１〜図４の内容物噴射操作用ボタンは容器本体側の周知のステム(図示省略)に取り付けた状態で使用される。
【００３７】
利用者などが内容物噴射操作用ボタンの天面１ｅを押し下げると、この操作用ボタン全体およびこれと一体のステムが下方に移動する。
【００３８】
ステムの下方への移動にともない、ステムの弁作用部がそれまでの閉状態から開状態に移行して、容器本体側の内容物が噴射用ガスの作用によりステムから内容物通路１ａへ流入する。この内容物流入の動作自体は勿論周知である。
【００３９】
内容物通路１ａに流入した内容物は、
(31)図１および図２の一重ノズル２を用いた内容物噴射操作用ボタンの場合、「上流側中間オリフィス１ｂ−バッファ空間域ｓ１−下流側中間オリフィス２ｂ−環状通路域ｓ２−横溝状部２ｃ−前端側開口部２ｄ」の流れにより外部空間域へと噴射され、
(32)図３および図４の二重ノズル３を用いた内容物噴射操作用ボタンの場合、「上流側中間オリフィス１ｂ−バッファ空間域ｓ11−下流側中間オリフィス３ｄ−環状通路域ｓ12−環状通路部３ｃ−前端側開口部３ｆ」の流れにより外部空間域へと噴射される。
【００４０】
本発明が以上の実施形態に限定されないことは勿論であり、
(41)上流側中間オリフィス１ｂ，下流側中間オリフィス２ｂ，３ｄや横溝状部２ｃを図示以外の任意の個数設定する、
(42)押下げタイプ以外の、傾動タイプやトリガレバーなどの各種ボタンタイプの操作部に対応した内容物噴射通路の場合にも適用する、
ようにしてもよい。
【００４１】
本発明が適用される製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，栄養補助食品（ビタミンなど）医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４２】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００４３】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロースおよびこれらの混合物などを用いる。
【００４４】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４５】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４６】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４７】
高分子化合物としては、メチルセルロース，ゼラチン，デンプン，カゼイン，ヒドロキシエチルセルロース，キサンタンガム，カルボキシビニルポリマーなどを用いる。
【００４８】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４９】
さらに、上記内容物以外の、懸濁剤，紫外線吸収剤，乳化剤，保湿剤，酸化防止剤、金属イオン封鎖剤なども用いることができる。
【００５０】
エアゾール式製品における噴射剤としては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５１】
（図１〜図４）
１：ボタン本体部
１ａ：内容物通路
１ｂ：上流側中間オリフィス
１ｃ：前開口の収容空間部
１ｄ：縦底面
１ｅ：天面
【００５２】
（図１および図２）
２：一重ノズル
２ａ：鞘状部
２ｂ：下流側中間オリフィス
２ｃ：横溝状部
２ｄ：前端側開口部
２ｅ：前端テーパ面
ｓ１：バッファ空間域
ｓ２：環状通路域
【００５３】
（図３および図４）
３：二重ノズル
３ａ：後開口の内鞘状部
３ｂ：外筒状部
３ｃ：環状通路部
３ｄ：下流側中間オリフィス
３ｅ：環状後端面
３ｆ：前端側開口部
３ｇ：前端テーパ面
ｓ11：バッファ空間域
ｓ12：環状通路域
【図１】
0006762141.tif 000002
【図２】
0006762141.tif 000003
【図３】
0006762141.tif 000004
【図４】
0006762141.tif 000005